(57)【要約】【課題】利用者が顕在的に意図していない各種の条件を考慮しつつ、会議室等の各種の空間を自動的に選択すること。【解決手段】複数の会議室の各々の属性に関する会議室属性情報を格納する会議室属性情報テーブル１３ａと、会議室で行われる会議の議題を特定する複数の議題情報と、各議題情報にて特定される議題に適した会議室の属性に関する会議室属性情報とを、相互に対応付けて格納する議題別会議室属性情報テーブル１３ｄと、議題情報が所定方法で取得された場合に、当該取得された議題情報に対応する会議室属性情報を議題別会議室属性情報テーブル１３ｄから取得し、当該取得した会議室属性情報を有する会議室を会議室属性情報テーブル１３ａを参照して選定する属性条件選定処理部１２ｃを備える。【選択図】図２
2010257287.tif 000002
【特許請求の範囲】
【請求項１】
複数の空間の各々の属性に関する空間属性情報を格納する空間属性情報格納手段と、
前記空間を利用者が利用する際のテーマを特定するテーマ情報と、前記テーマ情報にて特定されるテーマに適した空間の属性に関する空間属性情報とを、相互に対応付けて格納するテーマ別空間属性情報格納手段と、
前記テーマ情報が所定方法で取得された場合に、当該取得されたテーマ情報に対応する前記空間属性情報を前記テーマ別空間属性情報格納手段から取得し、当該取得した空間属性情報を有する空間を前記空間属性情報格納手段を参照して選定する空間選定手段と、
を備えたことを特徴とする空間選択システム。
【請求項２】
前記空間の利用者の属性を特定するための利用者属性情報と、前記利用者属性情報にて特定される利用者の属性に適した空間の属性に関する空間属性情報とを、相互に対応付けて格納する利用者属性別空間属性情報格納手段を備え、
前記空間選定手段は、前記利用者属性情報が所定方法で取得された場合に、当該取得された利用者属性情報に対応する前記空間属性情報を前記利用者属性別空間属性情報格納手段から取得し、当該取得した空間属性情報と、前記テーマ情報に対応するものとして選定された前記空間属性情報とを参照して、前記空間属性情報格納手段から空間を選定すること、
を特徴とする請求項１に記載の空間選択システム。
【請求項３】
前記複数のテーマ情報と、各テーマ情報にて特定されるテーマに適した空間の環境制御条件に関する環境制御条件情報とを、相互に対応付けて格納するテーマ別環境制御情報格納手段と、
前記テーマ情報が所定方法で取得された場合に、当該取得されたテーマ情報に対応する前記環境制御条件情報を前記テーマ別環境制御情報格納手段から取得し、当該取得した環境制御条件情報に基づいて、前記空間選定手段にて選定された空間が備える環境機器を制御する環境制御手段と、
を備えたことを特徴とする請求項１又は２に記載の空間選択システム。
【請求項４】
前記空間選定手段にて選定された空間の予約日時を特定する予約日時情報を格納する空間予約情報格納手段を備え、
前記環境制御手段は、前記空間選定手段にて選定された空間の予約日時情報を前記空間予約情報格納手段から取得し、当該取得した予約日時情報にて特定される予約日時に、前記環境機器の制御を行うこと、
を特徴とする請求項３に記載の空間選択システム。
【請求項５】
前記複数のテーマ情報と、各テーマ情報にて特定されるテーマに応じた利用継続基準時間とを、相互に対応付けて格納するテーマ別環境変更情報格納手段と、
前記テーマ情報が所定方法で取得された場合に、当該取得されたテーマ情報に対応する前記利用継続基準時間を前記テーマ別環境変更情報格納手段から取得し、当該取得した利用継続基準時間を、前記空間選定手段にて選定された空間における利用継続時間が超えた場合に、当該空間の環境が変更されるように、当該空間が備える環境機器を制御する環境制御変更手段と、
を備えたことを特徴とする請求項３又は４に記載の空間選択システム。
【請求項６】
前記テーマ別環境変更情報格納手段は、前記複数のテーマ情報に対応付けて、各テーマ情報にて特定されるテーマに応じた環境の変更方法を特定する変更方法情報を格納し、
前記環境制御変更手段は、前記テーマ情報が所定方法で取得された場合に、当該取得されたテーマ情報に対応する前記変更方法情報を前記テーマ別環境変更情報格納手段から取得し、当該取得した変更方法情報にて特定される変更方法に基づいて、前記空間選定手段にて選定された空間が備える環境機器を制御すること、
を特徴とする請求項５に記載の空間選択システム。
【請求項７】
前記空間は、複数の利用者が会議を行う会議室であり、
前記テーマは、前記会議における議題であること、
を特徴とする請求項１から６のいずれか一項に記載の空間選択システム。
【請求項８】
複数の空間の各々の属性に関する空間属性情報を格納する空間属性情報格納手段を準備する空間属性情報格納ステップと、
前記空間のテーマを特定するテーマ情報と、前記テーマ情報にて特定されるテーマに適した空間の属性に関する空間属性情報とを、相互に対応付けて格納するテーマ別空間属性情報格納手段を準備するテーマ別空間属性情報格納ステップと、
前記テーマ情報が所定方法で取得された場合に、当該取得されたテーマ情報に対応する前記空間属性情報を前記テーマ別空間属性情報格納手段から取得し、当該取得した空間属性情報を有する空間を前記空間属性情報格納手段を参照して選定する空間選定ステップと、
を含むことを特徴とする空間選択方法。
【請求項９】
コンピュータに実行させるプログラムであって、
前記コンピュータは、
複数の空間の各々の属性に関する空間属性情報を格納する空間属性情報格納手段と、
前記空間のテーマを特定するテーマ情報と、前記テーマ情報にて特定されるテーマに適した空間の属性に関する空間属性情報とを、相互に対応付けて格納するテーマ別空間属性情報格納手段とを備え、
前記コンピュータに、
前記テーマ情報が所定方法で取得された場合に、当該取得されたテーマ情報に対応する前記空間属性情報を前記テーマ別空間属性情報格納手段から取得し、当該取得した空間属性情報を有する空間を前記空間属性情報格納手段を参照して選定する空間選定ステップを実行させること、
を特徴とする空間選択プログラム。
【発明の詳細な説明】
【技術分野】
【０００１】
この発明は、会議室等の各種の空間の中から、その利用テーマに適した空間を選択するための空間選択システム、空間選択方法、及び空間選択プログラムに関する。
【背景技術】
【０００２】
従来、複数の会議室の予約管理を行うための会議室予約システムが利用されている。この会議室予約システムは、利用者端末と管理サーバを備えて構成されている。利用者は、利用したい会議室や設備、利用時間、及び利用メンバ等を、利用者端末を介して管理サーバに登録する。管理サーバは、利用者によって入力された条件に合致する会議室に対して予約処理を行い、登録された予約時間が到来すると、予約処理を行った会議室の施錠の開閉制御を行う（例えば特許文献１参照）。
【先行技術文献】
【特許文献】
【０００３】
【特許文献１】特開２００５−０３２１００号公報
【発明の概要】
【発明が解決しようとする課題】
【０００４】
しかしながら、従来の会議室予約システムでは、会議室の予約処理の際に考慮する条件としては、利用者が顕在的に意図して自らが入力した条件（具体的には、設備や利用時間）のみを対象としており、利用者が顕在的に意図していない条件は全く考慮されていなかった。しかし実際には、会議室で行われる会議の成果や効率には、利用者が顕在的に意図していない各種の条件が影響することがある。例えば、会議室の環境（壁の色、温度、照明等）が、利用者の心理に作用し、利用者の知的創造性等に影響を与えることがある。
【０００５】
そこで本発明は、利用者が顕在的に意図していない各種の条件を考慮しつつ、利用テーマに合致した各種の空間を自動的に選択することができる空間選択システム、空間選択方法、及び空間選択プログラムを提供することを目的とする。
【課題を解決するための手段】
【０００６】
上述した課題を解決し、目的を達成するため、請求項１に係る本発明は、複数の空間の各々の属性に関する空間属性情報を格納する空間属性情報格納手段と、前記空間を利用者が利用する際のテーマを特定するテーマ情報と、前記テーマ情報にて特定されるテーマに適した空間の属性に関する空間属性情報とを、相互に対応付けて格納するテーマ別空間属性情報格納手段と、前記テーマ情報が所定方法で取得された場合に、当該取得されたテーマ情報に対応する前記空間属性情報を前記テーマ別空間属性情報格納手段から取得し、当該取得した空間属性情報を有する空間を前記空間属性情報格納手段を参照して選定する空間選定手段とを備えたことを特徴とする。
【０００７】
請求項２に係る本発明は、請求項１に係る本発明において、前記空間の利用者の属性を特定するための利用者属性情報と、前記利用者属性情報にて特定される利用者の属性に適した空間の属性に関する空間属性情報とを、相互に対応付けて格納する利用者属性別空間属性情報格納手段を備え、前記空間選定手段は、前記利用者属性情報が所定方法で取得された場合に、当該取得された利用者属性情報に対応する前記空間属性情報を前記利用者属性別空間属性情報格納手段から取得し、当該取得した空間属性情報と、前記テーマ情報に対応するものとして選定された前記空間属性情報とを参照して、前記空間属性情報格納手段から空間を選定することを特徴とする。
【０００８】
請求項３に係る本発明は、請求項１又は２に係る本発明において、前記複数のテーマ情報と、各テーマ情報にて特定されるテーマに適した空間の環境制御条件に関する環境制御条件情報とを、相互に対応付けて格納するテーマ別環境制御情報格納手段と、前記テーマ情報が所定方法で取得された場合に、当該取得されたテーマ情報に対応する前記環境制御条件情報を前記テーマ別環境制御情報格納手段から取得し、当該取得した環境制御条件情報に基づいて、前記空間選定手段にて選定された空間が備える環境機器を制御する環境制御手段とを備えたことを特徴とする。
【０００９】
請求項４に係る本発明は、請求項３に係る本発明において、前記空間選定手段にて選定された空間の予約日時を特定する予約日時情報を格納する空間予約情報格納手段を備え、前記環境制御手段は、前記空間選定手段にて選定された空間の予約日時情報を前記空間予約情報格納手段から取得し、当該取得した予約日時情報にて特定される予約日時に、前記環境機器の制御を行うことを特徴とする。
【００１０】
請求項５に係る本発明は、請求項３又は４に係る本発明において、前記複数のテーマ情報と、各テーマ情報にて特定されるテーマに応じた利用継続基準時間とを、相互に対応付けて格納するテーマ別環境変更情報格納手段と、前記テーマ情報が所定方法で取得された場合に、当該取得されたテーマ情報に対応する前記利用継続基準時間を前記テーマ別環境変更情報格納手段から取得し、当該取得した利用継続基準時間を、前記空間選定手段にて選定された空間における利用継続時間が超えた場合に、当該空間の環境が変更されるように、当該空間が備える環境機器を制御する環境制御変更手段とを備えたことを特徴とする。
【００１１】
請求項６に係る本発明は、請求項５に係る本発明において、前記テーマ別環境変更情報格納手段は、前記複数のテーマ情報に対応付けて、各テーマ情報にて特定されるテーマに応じた環境の変更方法を特定する変更方法情報を格納し、前記環境制御変更手段は、前記テーマ情報が所定方法で取得された場合に、当該取得されたテーマ情報に対応する前記変更方法情報を前記テーマ別環境変更情報格納手段から取得し、当該取得した変更方法情報にて特定される変更方法に基づいて、前記空間選定手段にて選定された空間が備える環境機器を制御することを特徴とする。
【００１２】
請求項７に係る本発明は、請求項１から６のいずれか一項に係る本発明において、前記空間は、複数の利用者が会議を行う会議室であり、前記テーマは、前記会議における議題であることを特徴とする。
【００１３】
請求項８に係る本発明は、複数の空間の各々の属性に関する空間属性情報を格納する空間属性情報格納手段を準備する空間属性情報格納ステップと、前記空間のテーマを特定するテーマ情報と、前記テーマ情報にて特定されるテーマに適した空間の属性に関する空間属性情報とを、相互に対応付けて格納するテーマ別空間属性情報格納手段を準備するテーマ別空間属性情報格納ステップと、前記テーマ情報が所定方法で取得された場合に、当該取得されたテーマ情報に対応する前記空間属性情報を前記テーマ別空間属性情報格納手段から取得し、当該取得した空間属性情報を有する空間を前記空間属性情報格納手段を参照して選定する空間選定ステップとを含むことを特徴とする。
【００１４】
請求項９に係る本発明は、コンピュータに実行させるプログラムであって、前記コンピュータは、複数の空間の各々の属性に関する空間属性情報を格納する空間属性情報格納手段と、前記空間のテーマを特定するテーマ情報と、前記テーマ情報にて特定されるテーマに適した空間の属性に関する空間属性情報とを、相互に対応付けて格納するテーマ別空間属性情報格納手段とを備え、前記コンピュータに、前記テーマ情報が所定方法で取得された場合に、当該取得されたテーマ情報に対応する前記空間属性情報を前記テーマ別空間属性情報格納手段から取得し、当該取得した空間属性情報を有する空間を前記空間属性情報格納手段を参照して選定する空間選定ステップを実行させることを特徴とする。
【発明の効果】
【００１５】
請求項１、８、９に係る発明によれば、利用テーマに適した属性を有する空間が自動的に選定されるので、利用者が顕在的に意図していない各種の条件を考慮しつつ空間を自動的に選択することができ、利用者の知的創造性等を最大限に引き出す環境で開発会議を行ったり、利用者の信頼性や安心感を最大限に高める環境で契約会議を行うことができる等、空間利用の効果や効率を向上させることができる。
【００１６】
請求項２に係る発明によれば、利用者の属性に適した属性を有する空間が自動的に選定されるので、利用者が顕在的に意図していない各種の条件を考慮しつつ空間を自動的に選択することができ、利用者の知的創造性等を最大限に引き出す環境で開発会議を行ったり、利用者の信頼性や安心感を最大限に高める環境で契約会議を行うことができる等、空間利用の効果や効率を向上させることができる。
【００１７】
請求項３に係る発明によれば、利用テーマに適した環境となるように空間の環境機器が自動的に制御されるので、利用者が顕在的に意図していない各種の環境下で空間利用を行うことができ、利用者の知的創造性等を最大限に引き出す環境で開発会議を行ったり、利用者の信頼性や安心感を最大限に高める環境で契約会議を行うことができる等、空間利用の効果や効率を一層向上させることができる。
【００１８】
請求項４に係る発明によれば、空間の予約日時に環境機器の制御が自動的に行われるので、空間の環境を、利用者が意識することなく自動的に、かつ、利用テーマに応じた最適なタイミングで、設定することができる。
【００１９】
請求項５に係る発明によれば、利用テーマに応じた利用継続基準時間を利用継続時間が超えた場合には、当該空間の環境が自動的に変更されるので、空間利用の開始から長時間が経過して、空間利用の開始当初に設定した環境が最適環境でなくなった場合であっても、空間の環境を、利用者が意識することなく自動的に、かつ、利用テーマに応じた最適なタイミングで、変更することができる。
【００２０】
請求項６に係る発明によれば、利用テーマに応じた環境の変更方法に基づいて環境機器が制御されるので、空間利用の開始から長時間が経過して、空間利用の開始当初に設定した環境が最適環境でなくなった場合であっても、空間の環境を、利用者が意識することなく自動的に、かつ、利用テーマに応じた最適な変更方法で、変更することができる。
【００２１】
請求項７に係る発明によれば、空間は、複数の利用者が会議を行う会議室であり、テーマは、会議における議題であるため、議題に適した属性を有する会議室が自動的に選定され、さらには会議参加者の属性に適した属性を有する会議室が自動的に選定されるので、利用者の知的創造性等を最大限に引き出す環境で開発会議を行ったり、利用者の信頼性や安心感を最大限に高める環境で契約会議を行うことができる等、会議の効果や効率を向上させることができる。
【図面の簡単な説明】
【００２２】
【図１】本発明の実施の形態に係る会議室選択システムを説明するための概要図である。
【図２】会議室選択装置の電気的構成を示したブロック図である。
【図３】会議室属性情報テーブルの構成例を示す図である。
【図４】利用者属性情報テーブルの構成例を示す図である。
【図５】会議室予約情報テーブルの構成例を示す図である。
【図６】議題別会議室属性情報テーブルの構成例を示す図である。
【図７】議題別環境制御情報テーブルの構成例を示す図である。
【図８】議題別環境変更情報テーブルの構成例を示す図である。
【図９】全体処理のフローチャートである。
【図１０】会議内容特定処理のフローチャートである。
【図１１】基本条件選定処理のフローチャートである。
【図１２】属性条件選定処理のフローチャートである。
【図１３】会議室予約処理のフローチャートである。
【図１４】環境制御処理のフローチャートである。
【図１５】環境制御変更処理のフローチャートである。
【発明を実施するための形態】
【００２３】
以下に添付図面を参照して、本発明の実施の形態を詳細に説明する。まず、〔I〕本実施の形態の基本的な概念について説明した後、〔II〕本実施の形態の具体的内容について説明し、〔III〕最後に、本実施の形態に対する変形例について説明する。ただし、本実施の形態によって本発明が限定されるものではない。
【００２４】
〔I〕本実施の形態の基本的概念
まず、本実施の形態の基本的概念について説明する。本実施の形態に係る空間選択システム、空間選択方法、及び空間選択プログラムは、複数の「空間」の中から、利用者が利用する際の「テーマ」に適した空間を、自動的に選択するための装置、方法、及びプログラムである。ここで、「空間」とは、人が利用可能な全ての空間を意味しており、オフィスビルの内部に設けられた部屋の如き閉鎖空間のみならず、屋外に設けられたオープン空間を含むものであって、例えば、会議室、応接室、多目的スペースを含む。特に、本システム、本方法、及び本プログラムは、複数人が共用する空間であって、基本的には予約を行った上で利用する空間に好適である。また、「テーマ」は、空間で行われる行動、活動、作業等の主題であり、これら行動等の性質や特性を含み、例えば、会議における議題や、会話における話題、休憩における休息等が該当する。
【００２５】
以下、この実施の形態では、「空間」がオフィスビルの内部に設けられた「会議室」であり、「テーマ」が会議の「議題」である場合について説明する。「会議」とは、２人以上の利用者が参加して行われるものであって会話を中心とする全ての活動を意味しており、「契約会議」、「開発会議」、及び「人事面接」等を含む。「議題」とは、会議活動のテーマであり、任意のテーマを含むことができるが、以下では、「一般（他の議題に含まれない任意の議題をテーマとするもの）」、「契約（商品やサービスの契約内容の交渉を主要テーマとするもの）」、「人事面接（雇用、昇給、あるいは解雇の如き人事を行うための事前又は事後の面談をテーマとするもの）」、及び「開発（商品やサービスの企画や技術開発をテーマとするもの）」のいずれかを議題とする場合について説明する。
【００２６】
本実施の形態において、会議室の予約を行う際に、会議に合致した会議室を自動的に選択すると共に、当該選択した会議室に対する予約登録を自動的に行う。会議室の選定に際しては、「基本条件」、「議題別会議室属性条件」、あるいは「利用者属性条件」を考慮する。「基本条件」は、会議室の選定を行う際の必須の条件であって、例えば、「開催日時に空いている会議室であること」、及び、「利用者全員が入室できる会議室であること」である。「議題別会議室属性条件」は、会議の議題に基づいて決定される会議室の属性であり、例えば、「空間構成」、「空間余裕度」、及び「代表色」である。空間構成とは、会議室の構造であり、本実施の形態では、閉鎖（会議室の六面が、壁やドア、天井、又は床で囲繞されている構造を意味する）と、開放（会議室の壁の少なくとも一面又は天井が、開放されているか、あるいは所定面積比率以上の透明窓があること）の２種類とする。空間余裕度とは、会議室に当該会議室の最大収容人数に相当する利用者が入室した際において、利用者によって占有されていない床面積と、当該会議室の全床面積との比率であり、数値が大きい程、床面積に余裕がある会議室であることを意味する。代表色とは、会議室の内装色であるが、ここでは、壁色、床色、及び天井色の各々の色やその面積比を総合して、会議室の内装色を代表的に表す一つの色を、代表色と称する。「利用者属性条件」は、利用者の「属性」に応じた条件であり、ここでは「属性」として、「健康状態」と「利用履歴」を用いる。
【００２７】
また、本実施の形態では、会議室の「環境制御」を行う。「環境制御」とは、会議室に備えられている環境機器を制御することを意味しており、このような環境機器としては、空調機器、照明機器、音響機器を含む任意の機器を対象とすることができる。以下では、「空調」、「照明」、及び「音響」の制御を行う例について説明する。
【００２８】
〔II〕本実施の形態の具体的内容
次に、本実施の形態の具体的内容について説明する。最初に、装置構成について説明し、その後、処理内容について説明する。
【００２９】
（構成）
図１は本実施の形態に係る空間選択システムとしての会議室選択システムを説明するための概要図である。会議室選択システム１は、会議室選択装置１０と予約端末２０をネットワーク３０を介して通信可能に接続して構成されており、例えば、複数の会議室４０を備えるオフィスビルに設置されている。
【００３０】
（構成−会議室選択装置）
会議室選択装置１０は、複数の会議室４０の予約や環境制御を行うための空間選択装置である。図２は、本実施の形態に係る会議室選択装置１０の電気的構成を示したブロック図である。この会議室選択装置１０は、入出力インターフェース（以下、入出力ＩＦ）１１、制御部１２、及び記憶部１３をバスにて通信可能に接続して構成されており、例えば、公知のサーバに対して本実施の形態に係る会議室選択プログラムをインストールすることで構成可能である。
【００３１】
入出力ＩＦ１１は、会議室選択装置１０の各種機能を実行するために必要な情報の入力を受け付け、あるいは当該情報を出力するもので、例えば、ネットワークボードや制御端子として構成されている。ここでは、入出力ＩＦ１１は、ネットワーク３０に接続され、予約端末２０との間で通信を行う。あるいは、入出力ＩＦ１１は、各会議室４０の空調機器４１、照明器具４２、及び音響装置４３に接続され、これら各機器に対して制御信号を出力する。
【００３２】
制御部１２は、会議室選択装置１０の各部を制御する制御手段であり、例えば、図示しないＣＰＵ（Ｃｅｎｔｒａｌ  Ｐｒｏｃｅｓｓｉｎｇ  Ｕｎｉｔ）及びこのＣＰＵ上で解釈実行されるプログラムを含んで構成されている。この制御部１２は、機能概念的に、会議内容特定処理部１２ａ、基本条件選定処理部１２ｂ、空間選定手段としての属性条件選定処理部１２ｃ、予約処理手段としての会議室予約処理部１２ｄ、環境制御条件特定手段及び環境制御手段としての環境制御処理部１２ｅ、及び環境制御変更手段としての環境制御変更処理部１２ｆを備えて構成されている。これら各部の具体的機能については後述する。
【００３３】
記憶部１３は、会議室選択装置１０の各種機能を実行するために必要な情報を記憶するための記憶手段であり、例えば、ＨＤ（Ｈａｒd  Ｄｉｓｋ）やフラッシュ・メモリによって構成されている。この記憶部１３には、会議室属性情報テーブル１３ａ、利用者属性情報テーブル１３ｂ、会議室予約情報テーブル１３ｃ、議題別会議室属性情報テーブル１３ｄ、議題別環境制御情報テーブル１３ｅ、及び議題別環境変更情報テーブル１３ｆが格納されている。
【００３４】
会議室属性情報テーブル１３ａは、会議室４０の属性に関する情報（会議室属性情報）を格納する空間属性情報格納手段である。この会議室属性情報テーブル１３ａの構成例を図３に示す。この会議室属性情報テーブル１３ａは、例えば、項目「会議室ＩＤ」、項目「場所」、項目「収容人数」、項目「空間構成」、項目「空間余裕度」、項目「代表色」と、これら各項目に対応する情報とを、相互に対応付けて格納して構成されている。項目「会議室ＩＤ」に対応する情報としては、各会議室４０を一意に特定するための識別情報として付与された会議室ＩＤが格納されている。項目「場所」に対応する情報としては、各会議室４０の設置場所を示すテキスト情報が格納されている。項目「収容人数」に対応する情報としては、各会議室４０の最大の収容人数を示す数値が格納されている。項目「空間構成」に対応する情報としては、各会議室４０の空間構成を示す情報が収容されており、ここでは上述した「閉鎖」又は「開放」のいずれかのテキスト情報が格納されている。この他、項目「空間構成」に対応する情報としては、外の景色が見えるか否か（窓の有無）、窓の数や大きさ、ドアの数や大きさ、壁の高さ等を含めてもよい。項目「空間余裕度」に対応する情報としては、各会議室４０の空間余裕度を示す数値が格納されている。項目「代表色」に対応する情報としては、各会議室４０の代表色を示すテキスト情報が格納されている。
【００３５】
図２の利用者属性情報テーブル１３ｂは、利用者の属性に関する情報（利用者属性情報）を格納する利用者属性別空間属性情報格納手段である。この利用者属性情報テーブル１３ｂの構成例を図４に示す。この利用者属性情報テーブル１３ｂは、例えば、項目「利用者ＩＤ」、項目「健康状態」、及び項目「利用履歴」と、これら各項目に対応する情報とを、相互に対応付けて格納して構成されている。項目「利用者ＩＤ」に対応する情報は、各会議室４０の利用者を特定するための情報であり、ここでは利用者を一意に識別するための利用者ＩＤが格納されている。項目「健康状態」に対応する情報は、利用者の健康状態を特定するための健康状態特定情報であり、ここでは、利用者の健康状態が「良好」であるか「注意」であるかを示すテキストデータが格納されている。項目「利用履歴」に対応する情報は、利用者の各会議室４０の過去の利用履歴を利用履歴特定情報であり、ここでは、利用者が過去に利用した各会議室４０の会議室ＩＤが格納されている。
【００３６】
図２の会議室予約情報テーブル１３ｃは、会議室４０の予約日時を特定する情報（予約日時情報）を格納する空間予約情報格納手段である。この会議室予約情報テーブル１３ｃの構成例を図５に示す。この会議室予約情報テーブル１３ｃは、例えば、項目「会議室ＩＤ」、項目「日付」、項目「時間」、項目「議題」、項目「利用者ＩＤ」と、これら各項目に対応する情報とを、相互に対応付けて格納して構成されている。項目「会議室ＩＤ」及び項目「利用者ＩＤ」に対応する情報は、会議室属性情報テーブル１３ａや利用者属性情報テーブル１３ｂの同一項目に対応する情報と同じである。項目「日付」に対応する情報は、予約日を特定する情報であり、ここでは西暦による年月日が格納されている。項目「時間」に対応する情報は、予約時間を特定する情報であり、ここでは開始時間及び終了時間が格納されている。項目「議題」に対応する情報は、各会議室４０で会議される議題を特定する議題情報であり、ここでは上述した「一般」、「契約」、「人事面接」、あるいは「開発」のいずれかのテキスト情報が格納されている。
【００３７】
図２の議題別会議室属性情報テーブル１３ｄは、各議題に適した会議室４０の属性に関する情報（議題別会議室属性情報）を格納するテーマ別空間属性情報格納手段である。この議題別会議室属性情報テーブル１３ｄの構成例を図６に示す。この議題別会議室属性情報テーブル１３ｄは、例えば、項目「議題」、項目「空間構成」、項目「空間余裕度」、項目「代表色」と、これら各項目に対応する情報とを、相互に対応付けて格納して構成されている。これら各項目に対応する情報は、会議室属性情報テーブル１３ａ又は会議室予約情報テーブル１３ｃの同一項目に対応する情報と同じであるため、その説明を省略する。このような議題別会議室属性情報の決定には、心理学等の研究成果を利用することができる。例えば、図６の２行目のレコードに示すように、「契約」のように金銭を含む議題の場合には、信頼感や高級感を与えるため、閉鎖空間で、比較的狭い空間（空間余裕度が小さい空間）であって、落ち着いた木目調（代表色が茶色）の会議室４０が好適である。あるいは、図６の４行目のレコードに示すように、「開発」のように創造性が要求される議題の場合には、創造性を高めるため、開放空間で、比較的広い空間（空間余裕度が大きい空間）であって、刺激的な色調（代表色が赤色）の会議室４０が好適である。ただし、図６の具体的内容は例示であり、任意に変更可能である。
【００３８】
図２の議題別環境制御情報テーブル１３ｅは、各議題に適した会議室４０の環境制御に関する情報（議題別環境制御情報）を格納するテーマ別環境制御情報格納手段である。この議題別環境制御情報テーブル１３ｅの構成例を図７に示す。この議題別環境制御情報テーブル１３ｅは、例えば、項目「議題」、項目「温度」、項目「照度」、項目「ＢＧＭ」と、これら各項目に対応する情報とを、相互に対応付けて格納して構成されている。項目「議題」に対応する情報は、会議室予約情報テーブル１３ｃの同一項目に対応する情報と同じであるため、その説明を省略する。項目「温度」に対応する情報は、各議題に適切な会議室４０の室温を示す環境制御条件情報であり、ここでは数値が格納されている。項目「照度」に対応する情報は、各議題に適切な会議室４０の照度を示す環境制御条件情報であり、ここでは数値が格納されている。項目「ＢＧＭ」に対応する情報は、各議題に適切な会議室４０のＢＧＭ（Ｂａｃｋ  Ｇｒｏｕｎｄ  Ｍｕｓｉｃ）を示す環境制御条件情報であり、ここでは音楽のジャンルを示すテキスト情報が格納されている。このような議題別環境制御情報の決定には、心理学等の研究成果を利用することができる。例えば、図７の２行目のレコードに示すように、契約のように金銭を含む議題の場合には、適度な集中力や緊張感を維持するため、温度や照度を比較的低く設定すると共に、ＢＧＭをなしとする。あるいは、図７の４行目のレコードに示すように、開発のように創造性が要求される議題の場合には、リラックスした雰囲気の中で創造性を高めるため、温度や照度を比較的高く設定すると共に、ＢＧＭをポップスとする。ただし、図７の具体的内容は例示であり、任意に変更可能である。
【００３９】
図２の議題別環境変更情報テーブル１３ｆは、各議題に適した会議室４０の環境変更に関する情報（議題別環境変更情報）を格納するテーマ別環境変更情報格納手段である。この議題別環境変更情報テーブル１３ｆの構成例を図８に示す。この議題別環境変更情報テーブル１３ｆは、例えば、項目「議題」、項目「利用継続基準時間」、項目「変更温度」、項目「変更照度」、項目「変更ＢＧＭ」と、これら各項目に対応する情報とを、相互に対応付けて格納して構成されている。項目「議題」に対応する情報は、会議室予約情報テーブル１３ｃの同一項目に対応する情報と同じであるため、その説明を省略する。項目「利用継続基準時間」に対応する情報は、各議題の会議を開始した後の経過時間であって、環境制御を変更すべきタイミングを特定する情報であり、ここでは数値が格納されている。項目「変更温度」に対応する情報は、環境制御を変更する際の変更後の温度を示す変更方法情報であり、ここでは変更前の温度を基準とする変更率を示す数値が格納されている。項目「変更照度」に対応する情報は、環境制御を変更する際の変更後の照度を示す変更方法情報であり、ここでは変更前の照度を基準とする変更率を示す数値が格納されている。項目「変更ＢＧＭ」に対応する情報は、環境制御を変更する際の変更後のＢＧＭを示す変更方法情報であり、ここでは変更後の音楽のジャンルを示すテキスト情報が格納されている。このような議題別環境変更情報の決定には、心理学等の研究成果を利用することができる。例えば、図８の２行目のレコードに示すように、契約のように金銭を含む議題の場合には、利用継続基準時間が経過しても結論がでない場合にはリラックスした雰囲気に環境を変えることが有効であるため、温度や照度を比較的小幅に増加させると共に、ＢＧＭとしてクラシックを流す。あるいは、図８の４行目のレコードに示すように、開発のように創造性が要求される議題の場合には、利用継続基準時間が経過しても結論がでない場合にはさらに創造性を刺激するため、温度や照度を比較的大幅に増加させると共に、ＢＧＭをロックに変更する。ただし、図８の具体的内容は例示であり、任意に変更可能である。
【００４０】
（構成−予約端末）
図１の予約端末２０は、会議室選択装置１０に対する予約操作を行うための端末装置であり、例えば、公知のパーソナルコンピュータや携帯電話として構成できるため、その具体的な説明は省略する。
【００４１】
（構成−ネットワーク）
図１のネットワーク３０は、会議室選択装置１０と予約端末２０との相互間における通信を可能とするためのもので、例えば、インターネット、イントラネット、ＬＡＮ（Ｌｏｃａｌ  Ａｒｅａ  Ｎｅｔｗｏｒｋ）、あるいは電話回線網として構成される。
【００４２】
（構成−会議室）
図１の会議室４０には、空調機器４１、照明器具４２、及び音響装置４３が設けられている。これら空調機器４１、照明器具４２、及び音響装置４３には、予め識別情報が記憶されており、会議室選択装置１０から送信された制御信号に含まれる識別情報が、自己に記憶された識別情報に合致する場合にのみ、当該制御信号によって特定される制御内容を実行する。ただし、これら空調機器４１、照明器具４２、及び音響装置４３の具体的な制御方法は任意に変更可能であり、例えば、これら空調機器４１、照明器具４２、及び音響装置４３の電源線や信号入力線を会議室選択装置１０の図示しない制御端子に接続し、この制御端子を介して、電源のＯＮ／ＯＦＦ制御や電流／電圧制御、あるいは、音響信号のＯＮ／ＯＦＦ制御等を行ってもよい。
【００４３】
（処理）
次に、このように構成された会議室選択システム１を用いて行われる会議室選択方法について説明する。図９は、全体処理のフローチャートである（なお以下では、ステップを「Ｓ」と称する）。この処理は、会議内容を特定するための会議内容特定処理（ＳＡ１）、全ての会議室４０の中から基本条件に合致する会議室４０を選定する基本条件選定処理（ＳＡ２）、この基本条件選定処理にて選定された会議室４０の中から議題別会議室属性条件や利用者属性別空間属性情報に合致する会議室４０を選定する属性条件選定処理（ＳＡ３）、この属性条件選定処理にて選定された会議室４０を予約する会議室予約処理（ＳＡ４）、予約日時が到来した際に所定方法で特定した環境制御条件により会議室４０の環境を制御する環境制御処理（ＳＡ５）、及び利用継続基準時間の経過後に環境制御条件を変更する環境制御変更処理（ＳＡ６）を含む。以下、各処理について説明する。
【００４４】
（処理−会議内容特定処理）
最初に、会議内容特定処理について説明する。図１０は、会議内容特定処理のフローチャートである。会議を開催したい利用者は、予約端末２０を介して、自己が開催したい会議に関する予約情報（日付、時間、議題、及び全利用者の人数と、予約者である自己の利用者ＩＤ）と、自己の健康状態を入力する。この入力を受けた会議室選択装置１０の会議内容特定処理部１２ａは（ＳＢ１、Ｙｅｓ）、これらの予約情報を記憶部１３に一時的に記憶させて（ＳＢ２）、会議内容特定処理を終了する。
【００４５】
（処理−基本条件選定処理）
次に、基本条件選定処理について説明する。図１１は、基本条件選定処理のフローチャートである。基本条件選定処理部１２ｂは、利用者によって入力された全利用者の人数に合致する会議室４０（「収容人数≧全利用者の人数」の条件を満たす会議室４０）を会議室属性情報テーブル１３ａを参照して選択し（ＳＣ１）、当該選択された会議室４０の会議室ＩＤを取得する。そして、会議内容特定処理部１２ａは、当該取得した会議室ＩＤに基づいて会議室予約情報テーブル１３ｃを参照することにより、当該会議室ＩＤにて特定される会議室４０が、利用者によって入力された日付及び時間に空いているか（これら日付及び時間に重複する会議室予約情報が会議室予約情報テーブル１３ｃに既に記録されていないか）を判定する（ＳＣ２）。そして、会議の日付及び時間に空いている会議室４０が１つも存在しない場合には（ＳＣ２、Ｎｏ）、予約端末２０にエラー表示を返すことで予約内容の変更を促し（ＳＣ３）、このような会議室４０が１つ以上存在する場合には（ＳＣ２、Ｙｅｓ）、このような全ての会議室４０を選定候補として選定し（ＳＣ４）、当該全ての会議室４０の会議室ＩＤを記憶部１３に一時的に記憶させて、基本条件選定処理を終了する。
【００４６】
（処理−属性条件選定処理）
次に、属性条件選定処理について説明する。図１２は、属性条件選定処理のフローチャートである。属性条件選定処理部１２ｃは、利用者によって入力された議題に対応する空間構成、空間余裕度、及び代表色を議題別会議室属性情報テーブル１３ｄから取得する（ＳＤ１）。また、属性条件選定処理部１２ｃは、基本条件選定処理によって選定候補として選定された会議室ＩＤに対応する空間構成、空間余裕度、及び代表色を会議室属性情報テーブル１３ａから取得する（ＳＤ２）。そして、属性条件選定処理部１２ｃは、選定候補として選定された会議室の中で、議題に対応する空間構成、空間余裕度、及び代表色に合致する空間構成、空間余裕度、及び代表色を備える会議室４０が存在するか否かを判定し（ＳＤ３）、このような会議室４０が１つも存在しない場合には（ＳＤ３、Ｎｏ）、予約端末２０にエラー表示を返すことで予約内容の変更を促し（ＳＤ４）、このような会議室４０が１つ以上存在する場合には（ＳＤ３、Ｙｅｓ）、このような全ての会議室４０を選定候補として選定する。
【００４７】
ここで、属性条件選定処理部１２ｃは、選定候補となる会議室４０が１つしかない場合には（ＳＤ５、Ｎｏ）、当該会議室４０を利用者が利用する会議室４０として選定する（ＳＤ１０）。一方、選定候補となる会議室４０が２つ以上ある場合には（ＳＤ５、Ｙｅｓ）、当該２つ以上の会議室４０の中から利用者が利用する１つの会議室４０を、利用者属性情報に基づいて選択する。例えば、利用者により入力された予約情報に含まれる利用者ＩＤに対応する健康状態を利用者属性情報テーブル１３ｂから取得し、当該取得した健康状態が「良好」である場合には（ＳＤ６、Ｙｅｓ）、健康状態に関わらず任意の会議室を選択できるとし、次のＳＤ８に移行する。一方、当該取得した健康状態が「注意」である場合には（ＳＤ６、Ｎｏ）、健康に良くない影響を与える可能性がある会議室（ここでは代表色＝赤の会議室）を、選定候補の会議室４０から除外した上で（ＳＤ７）、次のＳＤ８に移行する。
【００４８】
ＳＤ８においては、属性条件選定処理部１２ｃは、利用者属性情報テーブル１３ｂの利用履歴を参照し、利用者が過去に最も利用した会議室４０の会議室ＩＤを特定し（ＳＤ８）、選定候補となっている会議室４０の中に、当該過去に最も利用した会議室４０が存在するか否かを判定する（ＳＤ９）。そして、このような会議室４０が存在する場合には（ＳＤ９、Ｙｅｓ）、当該過去に最も利用した会議室４０を、最終的に利用者が利用すべき会議室４０であると特定する（ＳＤ１０）。例えば、利用者属性情報テーブル１３ｂには、会議室選択システム１により自動的に選択された過去の会議室４０のみでなく、利用者が自ら選択した過去の会議室４０の利用履歴を蓄積しておき、ＳＤ８〜ＳＤ１０のように、利用者が過去に最も利用した会議室４０を選択することで、利用者の嗜好に合致した会議室４０を選択することができる。
【００４９】
あるいは、選定候補となっている会議室４０の中に、過去に最も利用した会議室４０が存在しない場合には、過去に２番目や３番目に利用した回数が最も多い会議室４０を、最終的に利用者が利用すべき会議室４０としてもよい。あるいは、利用履歴とのマッチング方法を、議題に応じて変えてもよい。例えば、議題が「一般」、「契約」、あるいは「面接」である場合には、利用者に落ち着いた会議環境を提供することが好ましいと考えられるため、ＳＤ８〜ＳＤ１０のように、利用者が過去に最も利用した会議室４０を選択するようにしてもよいが、議題が「開発」である場合には、利用者に通常とは異なる刺激的な会議環境を提供することが好ましいと考えられるため、選定候補となっている会議室４０の中で、利用者が過去に利用した回数が最も少ない会議室４０を優先的に、最終的に利用者が利用すべき会議室４０としてもよい。具体的には、議題別会議室属性情報テーブル１３ｄに、項目「利用履歴」を設け、項目「利用履歴」に対応する情報として、議題＝「一般」、「契約」、あるいは「面接」に対しては「過去に利用した順」、議題＝「開発」に対しては「過去に利用していない順」を格納しておき、この情報をＳＤ９、１０において参照して、利用履歴に基づく会議室４０の選択時の優先順次を決定してもよい。
【００５０】
なお、ＳＤ９において、このような会議室４０が存在しない場合（ＳＤ９、Ｎｏ）、属性条件選定処理部１２ｃは、他の所定の基準により、最終的に利用者が利用すべき会議室４０を特定する（ＳＤ１１）。この所定基準は任意であるが、例えば、収容人数が全利用者の人数に最も近い会議室４０を選定したり、利用者によって入力された時間の前後に余裕がある（予約が入っていない）会議室４０を会議室予約情報テーブル１３ｃを参照して選定したり、全ての会議室４０の会議室属性情報を会議室属性情報テーブル１３ａから取得して予約端末２０に表示させて利用者によって会議室４０を選定させるようにしてもよい。属性条件選定処理部１２ｃは、このように１つの会議室４０を選定した後、当該会議室４０の会議室ＩＤを記憶部１３に一時的に記憶させて、属性条件選定処理を終了する。
【００５１】
（処理−会議室予約処理）
次に、会議室予約処理について説明する。図１３は、会議室予約処理のフローチャートである。会議室予約処理部１２ｄは、属性条件選定処理によって選定された会議室の会議室ＩＤと、利用者によって入力された日付、時間、議題、及び利用者ＩＤとを、１つのレコードとして会議室予約情報テーブル１３ｃに記憶させる（ＳＥ１）。そして、会議室予約処理部１２ｄは、この会議室ＩＤに対応する会議室４０の場所を会議室属性情報テーブル１３ａから取得し（ＳＥ２）、この場所を予約端末２０に表示させると共に予約が完了した旨を表示させることで、予約を行った利用者に対して予約された会議室４０を通知する（ＳＥ３）。これにて会議室予約処理が終了する。
【００５２】
（処理−環境制御処理）
次に、環境制御処理について説明する。図１４は、環境制御処理のフローチャートである。環境制御処理部１２ｅは、会議室予約処理によって会議室予約情報テーブル１３ｃに記憶された日付及び時間と、公知の方法で取得された現在の日付及び時間とを定期的に比較することで、会議の日付及び時間が到来したか否かを監視する（ＳＦ１）。そして、会議の日付及び時間が到来した場合（ＳＦ１、Ｙｅｓ）、環境制御処理部１２ｅは、当該日付及び時間に対応する会議室ＩＤを会議室予約情報テーブル１３ｃから取得し、当該取得した会議室ＩＤに対応する温度、照度、ＢＧＭを議題別環境制御情報テーブル１３ｅから取得する（ＳＦ２）。そして、環境制御処理部１２ｅは、当該取得した温度、照度、ＢＧＭに基づいて、当該日付及び時間に対応する会議室ＩＤにて特定される会議室４０の環境を制御する。すなわち、当該会議室ＩＤと、当該温度、照度、又はＢＧＭを含む制御信号を生成し、この制御信号を各会議室４０の空調機器４１、照明器具４２、及び音響装置４３に出力する（ＳＦ３）。各会議室４０の空調機器４１、照明器具４２、及び音響装置４３は、会議室選択装置１０から送信された制御信号に含まれる識別情報が、自己に記憶された識別情報に合致する場合にのみ、当該制御信号によって特定される制御内容を実行する。この結果、空調機器４１は会議室４０の室温を議題に合致した温度に調整し、照明器具４２は会議室４０の照度を議題に合致した照度に調整し、音響装置４３は会議室４０のＢＧＭを議題に合致したＢＧＭに設定する。これにて環境制御処理が終了する。なお、この環境制御処理においても、利用者の嗜好を反映させてもよい。例えば、利用者属性情報テーブル１３ｂに、利用者が好む温度、照度、ＢＧＭを特定する情報を格納しておき、環境制御に際しては、当該利用者が好む温度、照度、ＢＧＭを優先的に採用したり、あるいは、ＳＦ２で取得された温度や照度との調整（例えば温度や照度については両者の平均値を採用する等）してもよい。
【００５３】
（処理−環境制御変更処理）
最後に、環境制御変更処理について説明する。図１５は、環境制御変更処理のフローチャートである。環境制御変更処理部１２ｆは、会議室予約処理によって会議室予約情報テーブル１３ｃに記憶された議題に対応する利用継続基準時間、変更温度、変更照度、及び変更ＢＧＭを議題別環境変更情報テーブル１３ｆから取得する（ＳＧ１）。また、環境制御変更処理部１２ｆは、会議室予約処理によって会議室予約情報テーブル１３ｃに記憶された日付及び時間と、公知の方法で取得された現在の日付及び時間とを定期的に比較することで、会議の開始直後からの経過時間である利用継続時間を算定する（ＳＧ２）。そして、環境制御変更処理部１２ｆは、利用継続基準時間を利用継続時間が超えたか否かを監視し（ＳＧ３）、超えた場合には（ＳＧ３、Ｙｅｓ）、議題別環境変更情報テーブル１３ｆから取得した変更温度、変更照度、及び変更ＢＧＭに基づいて、当該利用継続基準時間が経過した会議室４０の環境を制御する。すなわち、当該会議室４０の現在の温度及び照度を環境制御処理と同様に特定し、当該特定した現在の温度及び照度と、議題別環境変更情報テーブル１３ｆから取得した変更温度及び変更照度に基づいて、変更後の温度及び照度を算定する（ＳＧ４）。そして、環境制御変更処理部１２ｆは、環境を制御すべき会議室４０の会議室ＩＤと、当該算定した変更後の温度及び照度と、議題別環境変更情報テーブル１３ｆから取得した変更ＢＧＭを含む制御信号を生成し、この制御信号を各会議室４０の空調機器４１、照明器具４２、及び音響装置４３に出力する（ＳＧ５）。そして、各会議室４０の空調機器４１、照明器具４２、及び音響装置４３は、会議室選択装置１０から送信された制御信号に含まれる識別情報が、自己に記憶された識別情報に合致する場合にのみ、当該制御信号によって特定される制御内容を実行する。この結果、空調機器４１は会議室４０の室温を議題に合致した変更後の温度に変更し、照明器具４２は会議室４０の照度を議題に合致した変更後の照度に変更し、音響装置４３は会議室４０のＢＧＭを議題に合致した変更後のＢＧＭに変更する。これにて環境制御変更処理が終了する。
【００５４】
（本実施の形態の効果）
このような本実施の形態によれば、会議の議題に適した属性を有する会議室４０が自動的に選定されるので、利用者が顕在的に意図していない各種の条件を考慮しつつ会議室４０を自動的に選択することができ、利用者の知的創造性等を最大限に引き出す環境で開発会議を行ったり、利用者の信頼性や安心感を最大限に高める環境で契約会議を行ったりすることができる等、会議の効果や効率を向上させることができる。
【００５５】
また、本実施の形態によれば、会議の議題に適した環境となるように会議室４０の環境機器が自動的に制御されるので、利用者が顕在的に意図していない各種の環境下で会議を行うことができ、利用者の知的創造性等を最大限に引き出す環境で開発会議を行ったり、利用者の信頼性や安心感を最大限に高める環境で契約会議を行ったりすることができる等、会議の効果や効率を一層向上させることができる。
【００５６】
また、本実施の形態によれば、会議の予約日時に環境機器の制御が自動的に行われるので、会議室４０の環境を、利用者が意識することなく自動的に、かつ、議題に応じた最適なタイミングで、設定することができる。
【００５７】
また、本実施の形態によれば、会議の議題に応じた利用継続基準時間を利用継続時間が超えた場合には、当該会議室４０の環境が自動的に変更されるので、会議開始から長時間が経過して、会議開始当初に設定した環境が最適環境でなくなった場合であっても、会議室４０の環境を、利用者が意識することなく自動的に、かつ、議題に応じた最適なタイミングで、変更することができる。
【００５８】
また、本実施の形態によれば、議題に応じた環境の変更方法に基づいて環境機器が制御されるので、会議開始から長時間が経過して、会議開始当初に設定した環境が最適環境でなくなった場合であっても、会議室４０の環境を、利用者が意識することなく自動的に、かつ、議題に応じた最適な変更方法で、変更することができる。
【００５９】
〔III〕本実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００６０】
（解決しようとする課題や発明の効果について）
また、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００６１】
（空間の属性について）
テーマに対応する空間の属性は任意に変更でき、例えば、空間構成、空間余裕度、又は代表色の一部を省略したり、他の属性で代替したり、他の属性を追加してもよい。空間が会議室である場合における他の属性としては、会議室４０の平面形状（方形状、円形状、楕円形状等）や、会議室４０が備える設備（家具、什器、備品）を挙げることができる。そして、テーマに合致する平面形状や設備を備える会議室４０を優先的に選択するようにしてもよい。
【００６２】
（環境について）
自動的に設定又は変更する環境は任意に変更でき、例えば、温度、照度、又はＢＧＭの一部を省略したり、他の属性で代替したり、他の属性を追加してもよい。他の属性としては、湿度、照明の色温度、あるいは匂いを挙げることができる。
【符号の説明】
【００６３】
１  会議室選択システム
１０  会議室選択装置
１１  入出力ＩＦ
１２  制御部
１２ａ  会議内容特定処理部
１２ｂ  基本条件選定処理部
１２ｃ  属性条件選定処理部
１２ｄ  会議室予約処理部
１２ｅ  環境制御処理部
１２ｆ  環境制御変更処理部
１３  記憶部
１３ａ  会議室属性情報テーブル
１３ｂ  利用者属性情報テーブル
１３ｃ  会議室予約情報テーブル
１３ｄ  議題別会議室属性情報テーブル
１３ｅ  議題別環境制御情報テーブル
１３ｆ  議題別環境変更情報テーブル
２０  予約端末
３０  ネットワーク
４０  会議室
４１  空調機器
４２  照明器具
４３  音響装置
【図１】
2010257287.tif 000003
【図２】
2010257287.tif 000004
【図３】
2010257287.tif 000005
【図４】
2010257287.tif 000006
【図５】
2010257287.tif 000007
【図６】
2010257287.tif 000008
【図７】
2010257287.tif 000009
【図８】
2010257287.tif 000010
【図９】
2010257287.tif 000011
【図１０】
2010257287.tif 000012
【図１１】
2010257287.tif 000013
【図１２】
2010257287.tif 000014
【図１３】
2010257287.tif 000015
【図１４】
2010257287.tif 000016
【図１５】
2010257287.tif 000017